(57)【要約】【課題】透明性を有する部材からなる可動部を照明する場合の意匠効果を高めるとともに透明性を有する可動部のデザイン上の自由度を高め耐久性を向上することができる。【解決手段】発光ダイオード５４５及び凸レンズ面５５５は、ハート型可動部５３５の往復運動の移動方向の延長線上に設けられるとともに遊技板に対して固定され、ハート型可動部５３５の透明性を有する部分である光拡散部材８０２の下側に光Ｌを照射する。光拡散部材８０２の下側で複数の傾斜面により拡散し透過した光Ｌは光拡散部材８０２の後面の複数のＶ字溝８２３で更に拡散し、光拡散部材８０２の前面から出射し、外装部材８０１の板上部８１１や傾斜部８１２を透過し、ガラス扉を介して遊技者に視認される。【選択図】図１４
2010167128.tif 000002
【特許請求の範囲】
【請求項１】
板状に形成された遊技板の前面側に遊技球が落下する遊技領域を有する遊技盤を備える遊技機の演出装置であって、
前記遊技板の前面に当該遊技板に対して所定の方向に移動可能な状態で設けられ、少なくとも外周部に透明性を有する部分が形成された可動部と、
前記可動部に対して所定の方向に向けて往復運動を行わせる駆動手段と、
前記可動部の往復運動の移動方向の延長線上またはその近傍に設けられるとともに前記遊技板に対して固定され、前記可動部の透明性を有する部分に光を照射する光源と、
を備えることを特徴とする遊技機の演出装置。
【請求項２】
前記可動部の前記光源側の面には、前記光源から照射される光を拡散して前記可動部の透明性を有する部分に透過させる光拡散部が形成されていることを特徴とする請求項１に記載の遊技機の演出装置。
【請求項３】
前記光拡散部の概形は、先端部を前記光源側に向けた山形に形成されていることを特徴とする請求項1または２に記載の遊技機の演出装置。
【請求項４】
前記可動部における光拡散部の前方の部分には、当該光拡散部を手前側から隠す鍔部が形成されていることを特徴とする請求項1乃至３のいずれかに記載の遊技機の演出装置。
【発明の詳細な説明】
【技術分野】
【０００１】
本発明は透明性を有する部材からなる可動部を照明する遊技機の演出装置に関する。
【背景技術】
【０００２】
従来、パチンコ機と呼ばれる遊技機は、遊技球が図示しない球送り装置によって１球ずつ発射レール上に送り出され、送り出された遊技球が打球発射装置に打ち出されて遊技盤の案内レールの外レールに沿って遊技領域に導かれ、この遊技領域に導かれた遊技球が入賞口に入賞することで所定数の賞球を払い出すようになっている。
【０００３】
一般的に遊技盤の表面に配設されるランプ飾りや入賞口等の盤面部品には、例えば特許文献１に記載のように、その盤面部品の前面部分に色の異なる複数の粒状体を視認可能なように配設し、基板の裏面に設けられたランプで粒状体を照明する電飾構造が施されている。
【先行技術文献】
【特許文献】
【０００４】
【特許文献１】実開平７−４５２号公報
【発明の概要】
【発明が解決しようとする課題】
【０００５】
上記のように従来の遊技機では、ランプで粒状体を照明する電飾構造を、透明性を有する部材からなる可動式役物に適用すると、透明性を有する部材内部にランプ（基板）が見えるので、意匠効果が低下する。また、ランプに接続されるリード線等も役物の動作に追従するように施されなければならないので、構造が煩雑になる。さらに、ランプに接続されるリード線やランプ（基板）を設ける空間が必要になるためデザイン上の制約が多くなる。さらに、リード線が頻繁に湾曲して動くため、リード線の寿命が短く、早期に故障を起こす可能性が高くなる。遊技機の場合、部品交換には複雑な手続きが必要になるため、早期の故障はかなりの問題があった。
【０００６】
本発明は、上記の問題に鑑み、透明性を有する部材からなる可動部を照明する場合の意匠効果を高めるとともに透明性を有する可動部のデザイン上の自由度を高め耐久性を向上することができる遊技機の演出装置を提供することを目的とする。
【課題を解決するための手段】
【０００７】
請求項１に記載の遊技機の演出装置は、
板状に形成された遊技板の前面側に遊技球が落下する遊技領域を有する遊技盤を備える遊技機の演出装置であって、
前記遊技板の前面に当該遊技板に対して所定の方向に移動可能な状態で設けられ、少なくとも外周部に透明性を有する部分が形成された可動部と、
前記可動部に対して所定の方向に向けて往復運動を行わせる駆動手段と、
前記可動部の往復運動の移動方向の延長線上またはその近傍に設けられるとともに前記遊技板に対して固定され、前記可動部の透明性を有する部分に光を照射する光源と、
を備える。
前記可動部の前記光源側の面には、前記光源から照射される光を拡散して前記可動部の透明性を有する部分に透過させる光拡散部が形成されていることを特徴とする（請求項２）。
前記光拡散部の概形は、先端部を前記光源側に向けた山形に形成されていることを特徴とする（請求項３）。
前記可動部における光拡散部の前方の部分には、当該光拡散部を手前側から隠す鍔部が形成されていることを特徴とする（請求項４）。
【０００８】
いずれの場合にも、前記可動部の往復運動の移動方向の延長線上またはその近傍に設けられるとともに前記遊技板に対して固定された光源からの光によって前記可動部の透明性を有する部分が光るので、透明性を有する部材からなる可動式役物を照明する場合の意匠効果を高めるとともに透明性を有する部材のデザイン上の自由度を高め耐久性を向上することができる。
【０００９】
前記可動部は、全て透明性を有する部分で形成してもよいし、透明性を有する部分と透明性を有さない部分の両方で形成してもよい。
前記延長線上の近傍として表現した前記光源が設けられる位置としては、前記可動部の往復運動の全域において前記光源からの光が当該可動部の透明性を有する部分に照射可能な位置ならば各種適用可能である。
前記光源において、前記遊技板に対して固定されるとは、前記光源が前記遊技板に直接固定されることでもよいし、前記光源が前記演出装置の電気基板や本体ケースを介して前記遊技板に固定されることでもよい。
【００１０】
従来の遊技機では、ランプで粒状体を照明する電飾構造を、透明性を有する部材からなる可動式役物に適用すると、透明性を有する部材内部にランプ（基板）が見えるので、意匠効果が低下する。さらに、ランプに接続されるリード線等も役物の動作に追従するように施されなければならないので、構造が煩雑になる。ランプに接続されるリード線やランプ（基板）を設ける空間が必要になるためデザイン上の制約が多くなる。リード線が頻繁に湾曲して動くため、リード線の寿命が短く、早期に故障を起こす可能性が高くなる。遊技機の場合、部品交換には複雑な手続きが必要になるため、早期の故障はかなりの問題があった。
これに対し、本発明では透明性を有する部材からなる可動部を照明する場合の意匠効果を高めるとともに透明性を有する可動部のデザイン上の自由度を高め耐久性を向上することができる。
【発明の効果】
【００１１】
本発明によれば、前記可動部の往復運動の移動方向の延長線上またはその近傍に設けられるとともに前記遊技板に対して固定された光源からの光によって前記可動部の透明性を有する部分が光るので、透明性を有する部材からなる可動部を照明する場合の意匠効果を高めるとともに透明性を有する可動部のデザイン上の自由度を高め耐久性を向上することができる。
【図面の簡単な説明】
【００１２】
【図１】本発明に係る実施形態の遊技機の構成例を示した正面図である。
【図２】本発明に係る実施形態の制御手段のブロック図である。
【図３】本発明に係る実施形態の遊技盤を示す正面図である。
【図４】本発明に係る実施形態の遊技盤を示す斜視図である。
【図５】本発明に係る実施形態の演出役物の斜視図である。
【図６】本発明に係る実施形態の演出役物の右側の駆動機構及びその周辺部を示す正面図である。
【図７】本発明に係る実施形態の演出役物の右側の駆動機構及びその周辺部を示す右斜め後方から見た斜視図である。
【図８】本発明に係る実施形態の演出役物の右側の駆動機構及びその周辺部の正面から見た動作を示す説明図である。
【図９】本発明に係る実施形態の演出役物の右側の駆動機構及びその周辺部を示す右斜め後方から見た説明図である。
【図１０】本発明に係る実施形態のハート型可動部及びその周辺部を示す右斜め後方から見た分解斜視図である。
【図１１】本発明に係る実施形態のハート型可動部及びその周辺部を示す右斜め後方から見た斜視図である。
【図１２】本発明に係る実施形態のハート型可動部及びその周辺部を示す右斜め前方から見た分解斜視図である。
【図１３】本発明に係る実施形態のハート型可動部及びその周辺部を示す右斜め前方から見た斜視図である。
【図１４】本発明に係る実施形態のハート型可動部及びその周辺部を示す右側から見た断面図である。
【発明を実施するための形態】
【００１３】
以下、本発明の実施形態について図面を参照しながら具体的に説明する。
以下、図面を用いて本発明を実施するための最良の形態を説明する。
【００１４】
図１は  遊技機の構成例を示した正面図である。
【００１５】
初めに遊技機全体の説明をする。
図１において、遊技機１は、機枠又は機体として所定の外郭方形枠サイズに構成された固定保持用の外枠１１と、この外枠１１の前側に設けられ、この外枠１１に合わせて方形枠サイズに構成された前枠１２とを備えている。
前枠１２は、正面左側上下部に配設された開閉連結支持機構１３ａ、１３ｂを介して外枠１１に開閉（片持ち横開き）可能に組付けるとともに、正面右側内部に配設された施錠装置１４を利用して閉鎖状態に保持される。
前枠１２の正面側には、前枠１２の前側面域に合わせた方形状のガラス扉１５及び受け皿ユニット１６が共に横開き開閉及び着脱が可能に組付けられており、施錠装置１４および図示しないロック機構を利用して前枠１２の前面を覆う閉止状態で保持される。
受け皿ユニット１６には、球払出口から払い出された遊技球を貯留して整列させる球皿部１７が設けられる。
前枠１２には、パチンコゲームを展開し得る遊技盤１０１が、着脱交換可能にセット保持されている。遊技盤１０１は、前面の遊技領域１０３を前記ガラス扉１５の正面に臨ませている。
前枠１２の前記ガラス扉１５の下方位置には、発射部２９２（図２参照）を備える操作ハンドル１１３が配置され、発射部２９２の駆動によって発射された遊技球がレール１０２ａ、１０２ｂ間を上昇して遊技盤１０１の上部位置に達した後、遊技領域１０３内を落下する。遊技領域１０３には、遊技球を不特定の方向に向けて落下させるための複数の釘に加え、遊技球の落下方向を変化させる風車や入球口が配置されている。
【００１６】
遊技領域１０３の中央部分には中央役物２が配置されている。中央役物２には、例えば液晶表示器（ＬＣＤ）を用いた図柄表示部１０４が配置されている。
図柄表示部１０４の下方には遊技球を受入れ可能な第１始動口１０５が配置され、第１始動口１０５の下方には一対の可動片１２０ａ（図３参照）を有する第２始動口１２０が配置されている。第２始動口１２０は一対の可動片１２０ａ（図３参照）が閉状態のときに遊技球の受入れを困難にし、開状態のときに第１始動口１０５よりも遊技球の受入れを容易にする。
【００１７】
図柄表示部１０４の左側には、遊技球の通過を検出し、第２始動口１２０を一定時間だけ開放させる普通図柄の抽選を行うための入賞ゲート１０６が配置されている。入賞ゲート１０６の下方位置等には、遊技球が入球したときに所定数（例えば１０個）の賞球払い出しの権利を獲得する普通入賞口１０７ａ、１０７ｂ、１０７ｃが配置されている。遊技領域１０３の最下部にはどの入球口にも入球しなかった遊技球を回収する回収口１０８が配置されている。
【００１８】
図柄表示部１０４の右下には、遊技球が入球したときに所定数（例えば１０個）の賞球払い出しの権利を獲得する普通入賞口１０７ｄが配置されている。
さらに、普通入賞口１０７ｄの下には、主制御基板２０１（図２参照）に設けられた第１特別図柄抽選手段による抽選結果を表示する第１特別図柄表示器８２（図３参照）、及び主制御基板２０１（図２参照）に設けられた第２特別図柄抽選手段による抽選結果を表示する第２特別図柄表示器８３（図３参照）が配置されている。これら両表示器８２、８３には特別図柄が変動表示されていると共に、所定時間経過後に所定の図柄が停止表示され、始動口への遊技球の入球を契機とする抽選の結果が表示されている。両表示器８２、８３には複数のＬＥＤが使用され、特別図柄の変動表示の開始に伴ってＬＥＤが点滅することで、現在抽選中であるかのような印象を遊技者に与える。所定時間経過後には、抽選結果に応じて予め設定されたＬＥＤが点灯表示し、遊技者に抽選結果が報知されている。
【００１９】
特別図柄の変動表示中に第１始動口１０５、あるいは第２始動口１２０に遊技球が入球すると、当該入球によって得られる特別図柄の変動表示の権利（以下「保留球」という）が留保されている。この留保された保留球の数は第１特別図柄保留表示器８４（図３参照）及び第２特別図柄保留表示器８５（図３参照）に表示されている。
【００２０】
特別図柄の変動表示中に入賞ゲート１０６に遊技球が入球すると、普通図柄抽選手段による抽選が行われるが、この抽選結果を表示する普通図柄表示器８１（図３参照）が上記両表示器８２、８３の付近に配置されている。普通図柄の変動表示中に入賞ゲート１０６に遊技球が入球することによって得られる普通図柄の変動表示の権利、すなわち保留球の数が普通図柄保留表示器８６（図３参照）に表示されている。
【００２１】
図柄表示部１０４は第１始動口１０５、または第２始動口１２０に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、遊技領域１０３の下方に位置する大入賞口ユニット９における開閉扉９１が一定時間、開放する動作を所定回数（例えば１５回）繰り返し、入球した遊技球に対応する賞球が払い出されている。
【００２２】
大入賞口ユニット９は遊技盤１０１に設けられた大入賞口９３を開閉する開閉扉９１を開閉自在に支持し、開閉扉９１が大入賞口９３の前面（表面）側に位置した状態で、遊技盤１０１の背面に設置されている。開閉扉９１は通常時には閉鎖して大入賞口９３を閉塞しており、大入賞口９３に遊技球が入球することを阻止している。大当たり遊技が開始されたときには、大入賞口開閉ソレノイド４３への通電により開閉扉９１が開放して大入賞口９３を開放させる。大入賞口９３の開放時には、開閉扉９１が遊技球を大入賞口９３内に導くための受け皿として機能するため、大入賞口９３に遊技球が入球可能となる。
【００２３】
また、前記前枠１２の上側と下側には複数のライト１１２を備えた演出ライト１１１（ランプユニット）が設置されている。
【００２４】
前枠１２の下側には、受け皿ユニット１６が設置されている他、前述の操作ハンドル１１３が配置されている。操作ハンドル１１３は遊技盤１０１から遊技者側へ突出し、上記発射部の駆動によって遊技球を発射させる際に遊技者によって操作されている。
【００２５】
操作ハンドル１１３は上記発射部を駆動させて遊技球を発射させる発射指示部材１１４を備えている。発射指示部材１１４は操作ハンドル１１３の外周部に、遊技者から見て右回りに回転可能に設けられ、遊技者によって直接操作されているときに発射部に遊技球発射の指示を与える。操作ハンドル１１３には遊技者が発射指示部材１１４を直接操作していることを検出するセンサ等が内蔵されている。
【００２６】
中央役物２における図柄表示部１０４の上側及び側方（図１においては紙面右側）には、演出用の役物（以下、「演出役物」という）１１５、１１６が配置されている。演出役物１１５、１１６は例えばモータによって駆動されるようになっている。
【００２７】
前枠１２の下側にはまた、遊技者による操作を受け付けるチャンスボタン１１７が配置されている。チャンスボタン１１７の操作は例えば遊技中における特定のリーチ演出に際し、チャンスボタン１１７の操作を促すガイダンスが表示されている間有効となる。
【００２８】
前枠１２には、演出効果音、または不正を知らしめる音声を出力するスピーカ２７７（図２参照）が組み込まれている。スピーカ２７７は高音・中音・低音の領域を出力できる機能を有し、通常演出時は高音・中音・低音をバランス良く出力するが、後述する特別演出時、または不正等があった場合には周りに良く聞こえるように高音領域を高く出力するように制御されている。
（制御手段の内部構成）
図２に遊技機１の制御手段の内部構成を示すが、ここに示すように制御手段２００は主に主制御基板２０１、副制御基板２０２、賞球制御基板２０３、及びランプ制御基板２０６の複数の制御基板から構成されている。
【００２９】
主制御基板２０１は遊技機１の遊技に関する基本動作を制御し、ＲＯＭ２０１ｂに記憶されたプログラムに基づき、遊技内容の進行に伴う基本処理を実行するＣＰＵ２０１ａと、ＣＰＵ２０１ａの演算処理時におけるデータのワークエリアとして機能するＲＡＭ２０１ｃ等を備える。主制御基板２０１は第１始動口１０５、もしくは第２始動口１２０への遊技球の入球を契機として、大当たり抽選を行うと共に、その抽選結果に基づいてＲＯＭ２０１ｂに記憶されている演出に係わるコマンドの選択を行う。
【００３０】
主制御基板２０１の入力側には、第１始動口１０５に遊技球が入球したことを検出する第１始動口検出部２２１と、第２始動口１２０に遊技球が入球したことを検出する第２始動口検出部２２５と、入賞ゲート１０６を遊技球が通過したことを検出するゲート検出部２２２と、普通入賞口１０７ａ、１０７ｂ、１０７ｃに入球した遊技球を検出する普通入賞口検出部２２３と、大入賞口ユニット９に入球した遊技球を検出する大入賞口検出部２２４とが接続されている。
【００３１】
主制御基板２０１の出力側には役物作動装置２３１が接続されている。本実施形態においては上記役物作動装置２３１を、開閉扉９１を開閉させる大入賞口開閉ソレノイド（駆動装置）と、第２始動口１２０を開閉させる第２始動口開閉ソレノイドとによって構成している。
【００３２】
役物作動装置２３１は主制御基板２０１によって制御され、大当たり遊技（長当たり遊技、短当たり遊技）時に大入賞口開閉ソレノイド９７に通電して開閉扉９１を開放させ、また上記普通図柄の当選によって第２始動口開閉ソレノイドに通電して第２始動口１２０を開閉する。
【００３３】
副制御基板２０２の入力側には上記のチャンスボタン１１７が操作されたことを検出するチャンスボタン検出部２２０が接続されている。この副制御基板２０２は主に遊技中における演出を制御し、主制御基板２０１より送信されているコマンドに基づいて演出の抽選及び演出処理を実行するＣＰＵ２０２ａと、プログラム及び過去の演出パターンを記憶するＲＯＭ２０２ｂと、ＣＰＵ２０２ａの演算処理時におけるデータのワークエリアとして機能するＲＡＭ２０２ｃ等を備えている。
【００３４】
副制御基板２０２は主制御基板２０１より送信されている演出に係るコマンドを受信すると、このコマンドに基づいて抽選を行い、演出背景パターン、リーチ演出パターン、登場キャラクター等の演出を確定すると共に、当該確定した演出の制御を行う。副制御基板２０２の出力側には図柄表示部１０４が接続され、抽選によって決定された内容の通りに図柄表示部１０４において装飾図柄演出を展開する。副制御基板２０２には図柄表示部１０４に表示させる画像データを書き込むＶＲＡＭ２０２ｄも備えられている。
【００３５】
通常時には、ＣＰＵ２０２ａがＲＯＭ２０２ｂに記憶されたプログラムを読み込んで、背景画像表示処理、図柄画像表示及び変動処理、キャラクター画像表示処理など各種画像処理を実行し、必要な画像データをＲＯＭ２０２ｂから読み出してＶＲＡＭ２０２ｄに書き込む。背景画像、図柄画像、キャラクター画像は表示画面上において図柄表示部１０４に重畳表示されている。すなわち、図柄画像やキャラクター画像は背景画像よりも手前に見えるように表示されている。このとき、同一位置に背景画像と図柄画像が重なる場合、Ｚバッファ法等、周知の陰面消去法により各画像データのＺバッファのＺ値を参照することで、図柄画像を優先してＶＲＡＭ２０２ｄに記憶させる。
【００３６】
副制御基板２０２の出力側にはスピーカ２７７が接続され、副制御基板２０２において確定した通りに音声を出力する。副制御基板２０２の出力側にはまた、ランプ２６２、演出ライト１１１、及び演出役物作動装置２５４を制御するランプ制御基板２０６が接続されている。演出役物作動装置２５４は演出役物１１５，１１６等の、演出用の役物を作動させるモータ等によって構成されている。ランプ制御基板２０６は副制御基板２０２より送信されたコマンドに基づき、プログラムを作動させて演出処理を実行するＣＰＵ２０６ａと、各種演出パターンデータを記憶するＲＯＭ２０６ｂと、ＣＰＵ２０６ａの演算処理時におけるデータのワークエリアとして機能するＲＡＭ２０６ｃ等を備えている。
【００３７】
ランプ制御基板２０６は遊技盤１０１や台枠等に設けられている各種ランプ２６２に対する点灯制御等を行う他、演出ライト１１１における複数のライト１１２に対する点灯制御等を行い、各ライト１１２からの光の照射方向を変更するためにモータに対する駆動制御等を行う。ランプ制御基板２０６はまた、副制御基板２０２より送信されたコマンドに基づき、演出役物１１５、１１６を動作させる各種モータに対する駆動制御等を行う。
【００３８】
主制御基板２０１には賞球制御基板２０３が双方向に送信可能に接続されている。賞球制御基板２０３はＲＯＭ２０３ｂに記憶されたプログラムを作動させて賞球制御の処理を実行するＣＰＵ２０３ａと、ＣＰＵ２０３ａの演算処理時におけるデータのワークエリアとして機能するＲＡＭ２０３ｃ等を備え、ＲＯＭ２０３ｂに記憶されたプログラムに基づき、賞球制御を行う。
【００３９】
賞球制御基板２０３は接続されている払出部２９１に対して入球時の賞球数を払い出す制御を行う。また発射部２９２に対する遊技球の発射の操作を検出し、遊技球の発射を制御する。払出部２９１は遊技球の貯留部から所定数を払い出すためのモータ等からなる。
【００４０】
賞球制御基板２０３はこの払出部２９１に対して、各入球口（第１始動口１０５、第２始動口１２０、普通入賞口１０７ａ、１０７ｂ、１０７ｃ、１０７ｄ、大入賞口９３）に入球した遊技球に対応した賞球数を払い出す制御を行う。発射部２９２は遊技者による遊技操作を検出するセンサ（図示しない）と、遊技球を発射させる図示しないソレノイド等を備え、遊技のための遊技球を発射する。賞球制御基板２０３は発射部２９２のセンサにより遊技操作を検出すると、検出された遊技操作に対応してソレノイド等を駆動させて遊技球を間欠的に発射させ、遊技盤１０１の遊技領域１０３に遊技球を送り出す。
【００４１】
図３及び図４は遊技盤１０１を示す正面図及び斜視図である。
図３及び図４において、遊技盤１０１は、合板の前面に樹脂シートを貼り付けた構造の遊技板３００に中央役物２等の各種所物や遊技釘３０３を配置したものである。
遊技盤１０１の遊技領域１０３の中央には、中央役物２が設けられている。
【００４２】
中央役物２は、前記遊技領域１０３の中央に設けられ、開口部２２が形成された枠部材２１を主要構成とする前側ユニット３を有し、当該開口部２２の背面側に図柄表示部１０４が配置されている。図柄表示部１０４の開口部２２から露出する部分は、画面４００となっている。枠部材２１の表面には、金色の鍍金が施されている。
【００４３】
中央役物２の枠部材２１の上側中央の若干左寄りには、曲面部２３が設けられており、遊技領域１０３は、この曲面部２３から左右に分岐して左打ち用の遊技領域３０１と勢いが付きすぎた遊技球を減速させて回収口１０８に導く線路３０２に分けられている。
【００４４】
左打ち用の遊技領域３０１には、多数本の遊技釘３０３とともに、入賞ゲート１０６、普通入賞口１０７ａ、１０７ｂ、１０７ｃ、風車１０９、第１始動口１０５、第２始動口１２０、大入賞口ユニット９等が配置されている。
【００４５】
一方、枠部材２１の左側壁３１には、左打ち用の遊技領域３０１を落下する遊技球が付近の遊技釘３０３の誘導により比較的低い確率で突入するワープ経路３２が設けられている。
【００４６】
枠部材２１の下壁３３の正面側の上面には、ワープ経路３２を通過した遊技球が転がるステージ面３４が形成されている。ステージ面３４の中央には遊技球を第１始動口１０５に誘導する誘導孔３５の入り口３５ａ（図４参照）が設けられている。誘導孔３５の出口３５ｂは、第１始動口１０５の上方に位置する。ステージ面３４の手前には、ステージ面３４から転落した遊技球が転がるステージ面３６が形成されている。ステージ面３６の中央には、遊技球を第１始動口１０５に誘導する誘導溝３７が形成されている。
【００４７】
枠部材２１の左側壁３１、下壁３３、右側壁３８、上壁３９により囲まれる領域は、上述の開口部２２となっている。
【００４８】
遊技球は、通常の遊技状態で、曲面部２３よりも左下側に落下して左打ち用の遊技領域３０１に導かれ、遊技釘３０３や風車１０９に衝突しながら、あるものは、ワープ経路３２、ステージ面３４及び誘導孔３５を通過し第１始動口１０５に落下し、また、あるものは、ステージ面３６及び誘導溝３７を通過し第１始動口１０５に落下し、また、あるものは、ワープ経路３２を介さず直接下方に落下し、一般入賞具２０または第１始動口１０５に入賞し、また、あるものは、アウト球として回収口１０８に集合し、アウト球通路孔を通って遊技盤３の裏面側に排出される。
【００４９】
図５は図４に示した演出役物１１５の斜視図である。
図５において、演出役物１１５は、本体ケース５０１と、前側装飾部５０２と、上面左前側透明板５０３と、上面左後側透明板５０４と、上面右前側透明板５０５と、上面右後側透明板５０６と、左右のランプ基板５０７、５０８と、左右の駆動機構５０９、５１０と、複数の円柱５１１、５１２、５１３、５１４、５１５、５１６、５１７、５１８、５１９と、可動支持部５２１、５２２、５２３、５２４、５２５、５２６、５２７、５２８、５２９と、ハート型可動部５３１、５３２、５３３、５３４、５３５、５３６、５３７、５３８、５３９とを備えている。
【００５０】
本体ケース５０１は、上面及び背面側に開放した形状になっている。本体ケース５０１の内部には、左右の駆動機構５０９、５１０が配置される。駆動機構５０９、５１０の上側には左右のランプ基板５０７、５０８がそれぞれ配置される。左のランプ基板５０７の上面には発光ダイオード５４１、５４２、５４３、５４４が設けられている。右のランプ基板５０８の上面には発光ダイオード５４５、５４６、５４７、５４８、５４９が設けられている。
【００５１】
左のランプ基板５０７の上側は上面左前側透明板５０３及び上面左後側透明板５０４によって覆われる。
【００５２】
右のランプ基板５０８の上側は上面右前側透明板５０５及び上面右後側透明板５０６によって覆われる。
【００５３】
発光ダイオード５４１、５４２、５４３、５４４の真上に対応する上面左前側透明板５０３の上面の位置には、凸レンズ面５５１、５５２、５５３、５５４が形成されている。
【００５４】
発光ダイオード５４５、５４６、５４７、５４８、５４９の真上に対応する上面右前側透明板５０５の上面の位置には、凸レンズ面５５５、５５６、５５７、５５８、５５９が形成されている。
【００５５】
上面左前側透明板５０３及び上面左後側透明板５０４の間には、複数の円柱５１１、５１２、５１３、５１４とこれに対応する可動支持部５２１、５２２、５２３、５２４がそれぞれ挿入される複数の開孔部５６１、５６２、５６３、５６４が形成されている。
【００５６】
上面右前側透明板５０５及び上面右後側透明板５０６の間には、複数の円柱５１５、５１６、５１７、５１８、５１９とこれに対応する可動支持部５２５、５２６、５２７、５２８、５２９がそれぞれ挿入される複数の開孔部５６５、５６６、５６７、５６８、５６９が形成されている。
【００５７】
可動支持部５２１、５２２、５２３、５２４、５２５、５２６、５２７、５２８、５２９は、左右の駆動機構５０９、５１０による複数の複数の円柱５１１、５１２、５１３、５１４、５１５、５１６、５１７、５１８、５１９に対して摺動する。可動支持部５２１、５２２、５２３、５２４、５２５、５２６、５２７、５２８、５２９の前側上部には、ハート型可動部５３１、５３２、５３３、５３４、５３５、５３６、５３７、５３８、５３９が取り付けられている。
【００５８】
発光ダイオード５４１、５４２、５４３、５４４、５４５、５４６、５４７、５４８、５４９及び凸レンズ面５５１、５５２、５５３、５５４、５５５、５５６、５５７、５５８、５５９は、それぞれ前記ハート型可動部５３１、５３２、５３３、５３４、５３５、５３６、５３７、５３８、５３９の往復運動の移動方向の延長線上に設けられている。発光ダイオード５４１、５４２、５４３、５４４、５４５、５４６、５４７、５４８、５４９が発光した照明光は、それぞれ凸レンズ面５５１、５５２、５５３、５５４、５５５、５５６、５５７、５５８、５５９により屈折され、それぞれ前記ハート型可動部５３１、５３２、５３３、５３４、５３５、５３６、５３７、５３８、５３９の下方に導かれる。
【００５９】
以下、右側の駆動機構５１０について詳細に説明する。
図６は、右側の駆動機構５１０及びその周辺部を示す正面図である。図７は、右側の駆動機構５１０及びその周辺部を示す右斜め後方から見た斜視図である。図８は、右側の駆動機構５１０及びその周辺部を示す及びその周辺部の正面から見た動作を示す説明図である。図９は、右側の駆動機構５１０及びその周辺部を示す演出役物の右側の駆動機構及びその周辺部を示す右斜め後方から見た説明図である。
【００６０】
図６において、右側の駆動機構５１０は、回転軸５７５、５７６、５７７、５７８、５７９、６０１、６０２、６０３、６０４、６０５と、クランク５８５、５８６、５８７、５８８、５８９と、ギア５９５、５９６、５９７、５９８、５９９、６１１、６１２、６１３、６１４、６１５と、駆動モータ６２１と、エンコーダ用回転部材６３１（図７参照）と、フォトセンサ６４１（図７参照）とから構成されている。
【００６１】
回転軸５７５、５７６、５７７、５７８、５７９、６０１、６０２、６０３、６０４、６０５は、中心軸を前後方向に向けて共通のフレームによって回転可能な状態で支持され、駆動モータ６２１及びフォトセンサ６４１も前記フレームにネジ止め固定されている。
【００６２】
回転軸５７５、５７６、５７７、５７８、５７９の前端には、それぞれクランク５８５、５８６、５８７、５８８、５８９が取り付け固定されている。回転軸５７５、５７６、５７７、５７９の後端には、それぞれギア５９５、５９６、５９７、５９９が取り付けられている。
【００６３】
図７において、回転軸５７８の後寄りには、ギア５９８が取り付けられている。さらに回転軸５７９の後端には、フォトセンサ６４１とエンコーダを構成するエンコーダ用回転部材６３１が取り付けられている。エンコーダ用回転部材６３１は、筒状の形成された筒状部６３２の一部に切欠部６３３を形成したものである。フォトセンサ６４１は、発光部６４２が筒状部６３２の内周側に配置し、受光部６４３が筒状部６３２の外周側に配置して切欠部６３３の通過を検出するようになっている。
【００６４】
駆動モータ６２１は、モータ本体６２２が前記フレームにネジ止め固定され、モータ本体６２２に対して回転軸６２３が回転するようになっている。回転軸６２３には、ギア６１５が取り付けられている。
【００６５】
図６において、ギア６１５は左下側のギア５９６と噛合うとともに左下側のギア５９７と噛合い、ギア５９６は左側のギア６１１と噛合い、ギア６１１は左側のギア５９５と噛合っている。また、ギア６１５は右側のギア６１２と噛合い、ギア６１２は右下側のギア６１３と噛合い、ギア６１３は右側のギア５９８と噛合い、ギア５９８は右側のギア６１４と噛合い、ギア６１４は右側のギア５９９と噛合っている。
【００６６】
このような構造により、駆動モータ６２１が回転軸６２３を回転駆動することで、回転軸５７５、５７６、５７７、５７８、５７９、６０１、６０２、６０３、６０４、６０５と、クランク５８５、５８６、５８７、５８８、５８９と、ギア５９５、５９６、５９７、５９８、５９９、６１１、６１２、６１３、６１４、６１５と、エンコーダ用回転部材６３１とが連動して回転するようになっている。
駆動モータ６２１が回転軸６２３を回転位置の検出は、フォトセンサ６４１がエンコーダ用回転部材６３１の切欠部６３３を検出することで行われる。フォトセンサ６４１の検出結果は、図２に示した副制御基板２０２に送信される。
【００６７】
図６において、クランク５８５、５８６、５８７、５８８、５８９は、それぞれ円盤部６５５、６５６、６５７、６５８、６５９の後面の中心に回転軸５７５、５７６、５７７、５７８、５７９を取り付け固定している。クランク５８５、５８６、５８７、５８８、５８９の円盤部６５５、６５６、６５７、６５８、６５９の前側には、それぞれ回転軸５７５、５７６、５７７、５７８、５７９による回転の中心に対して偏心した軸６６５、６６６、６６７、６６８、６６９が設けられている。
【００６８】
一方、可動支持部５２５、５２６、５２７、５２８、５２９は、上下に延びる柱部６７５、６７６、６７７、６７８、６７９をそれぞれ基本構造とし、それぞれ柱部６７５、６７６、６７７、６７８、６７９の上側に図７に示す筒状部６８５、６８６、６８７、６８８、６８９を有し、図６に示す柱部６７５、６７６、６７７、６７８、６７９の下側に断面コ字状のレール部６９５、６９６、６９７、６９８、６９９をそれぞれ有している。図７に示す筒状部６７５、６７６、６７７、６７８、６７９には、図５に示す複数の円柱５１５、５１６、５１７、５１８、５１９がそれぞれ挿入されるようになっている。
【００６９】
図８において、レール部６９５、６９６、６９７、６９８、６９９が形成する後側の溝７０５、７０６、７０７、７０８、７０９には、クランク５８５、５８６、５８７、５８８、５８９の軸６６５、６６６、６６７、６６８、６６９がそれぞれ挿入されるようになっている。
【００７０】
可動支持部５２５、５２６、５２７、５２８、５２９は、筒状部６７５、６７６、６７７、６７８、６７９に図５に示す円柱５１５、５１６、５１７、５１８、５１９が挿入されることで上下方向にのみ移動が可能な状態になっている。
【００７１】
図８において、クランク５８５、５８６、５８７、５８８、５８９が回転した場合、クランク５８５、５８６、５８７、５８８、５８９の軸６６５、６６６、６６７、６６８、６６９はそれぞれ溝７０５、７０６、７０７、７０８、７０９を摺動し、それぞれレール部６９５、６９６、６９７、６９８、６９９を上下に動作させることになる。
【００７２】
即ち、駆動モータ６２１が図７に示す回転軸６２３を回転駆動することで、右側の駆動機構５１０は、図６及び図７に示す状態から図８及び図９に示す状態となり、レール部６９５、６９６、６９７、６９８、６９９を上下に動作させることが可能になる。レール部６９５、６９６、６９７、６９８、６９９の上下運動の位相及び周期は、ギア５９５、５９６、５９７、５９８、５９９、６１１、６１２、６１３、６１４、６１５のギア比の設定及びクランク５８５、５８６、５８７、５８８、５８９の軸６６５、６６６、６６７、６６８、６６９の位置によって各々ずらされた状態になっており、ハート型可動部５３５、５３６、５３７、５３８、５３９の動きを複雑にしている。
【００７３】
ここで、副制御基板２０２（図２参照）は、抽選の結果がハズレの際の予告演出中に比較的低い確率でハート型可動部５３１、５３２、５３３、５３４を上下運動させるとともに図５に示す右のランプ基板５０８の発光ダイオード５４５、５４６、５４７、５４８、５４９を発光させ、抽選の結果が大当たり際の予告演出中に比較的高い確率でハート型可動部５３１、５３２、５３３、５３４を上下運動させるとともに右のランプ基板５０８の発光ダイオード５４５、５４６、５４７、５４８、５４９を発光させることで大当たりの期待感を高める演出を行っている。副制御基板２０２（図２参照）は、図７に示すフォトセンサ６４１の検出結果よりモータ６２１が回転軸６２３を回転位置の検出し、モータ６２１の回転の制御を行っている。
【００７４】
左の駆動機構５０９及びについても、右側の駆動機構５１０とギアの数及び大きさの組み合わせが異なるだけで、右側の駆動機構５１０と同様の構造で左側の可動支持部５２１、５２２、５２３、５２４を位相及び周期をずらした状態で上下運動させ、ハート型可動部５３１、５３２、５３３、５３４を上下運動させるとともに左のランプ基板５０７の発光ダイオード５４１、５４２、５４３、５４４を発光させるようになっている。
【００７５】
以下、ハート型可動部５３５について詳細に説明する。
図１０は、ハート型可動部５３５及びその周辺部を示す右斜め後方から見た分解斜視図である。図１１は、ハート型可動部５３５及びその周辺部を示す右斜め後方から見た斜視図である。図１２は、ハート型可動部５３５及びその周辺部を示す右斜め前方から見た分解斜視図である。図１３は、ハート型可動部５３５及びその周辺部を示す右斜め前方から見た斜視図である。図１４は、ハート型可動部５３５及びその周辺部を示す右側から見た断面図である。
【００７６】
図１０において、ハート型可動部５３５は、外装部材８０１と、外装部材８０１の内部に収納される光拡散部材８０２とから構成される。
【００７７】
光拡散部材８０２は側面から見た形状がハート型に形成され、側面から見た三角形に形成されている。外装部材８０１は、正面の板上部８１１に外周に後方に向け傾斜する傾斜部８１２を形成し、傾斜部８１２の上側から中間部にかけて後方に延出する壁部８１３を形成している。傾斜部８１２には、宝石のカット状の多面体の模様８１４が形成されている。傾斜部８１２の下側は、鍔部８１５になっている。板上部８１１の背面には凹面による模様８１６が形成されている。壁部８１３の左右には、長孔８１７、８１８が形成されている。
【００７８】
光拡散部材８０２の外周の下側には、複数の左右に傾く傾斜面８２１、８２２が交互に並べて形成されている。光拡散部材８０２の後ろ面には、複数のＶ字溝８２３が同心円状に形成されている。
【００７９】
可動支持部５２５は、柱部の上側に筒状部６７５の前側には、壁部８１３の間に挿入される取り付け部８３１が形成されている。
【００８０】
図１２において、取り付け部８３１の正面側には、肉抜き用の凹部８３２が形成されている。
【００８１】
取り付け部８３１は、上面と下面が水平面状に形成され、左面８３３と右面８３４とが壁部８１３の内周に沿った曲面形状に形成されている。左面８３３と右面８３４には、壁部８１３の長孔８１７、８１８に挿入される突起部８３５、８３６が形成されている。また、左面８３３と右面８３４には、壁部８１３の端部を係止する段部８３７、８３８が形成されている。
【００８２】
ハート型可動部５３５を組み立てた状態では、図１１に示すように、光拡散部材８０２は外装部材８０１と取り付け部８３１により形成される空間に収納され、図１１及び図１３に示すように、鍔部８１５の後ろ側が光拡散部材８０２の下側を下方に向けて露出させる開放部８２０になっている。
【００８３】
図１４において、筒状部６８５の内周には、円柱５１１に対する摩擦抵抗を低下させるための保護部材８４０が設けられている。
【００８４】
以下、ハート型可動部５３５及びその周辺部の光学構造について詳細に説明する。
図１４において、発光ダイオード５４５及び凸レンズ面５５５は、前記ハート型可動部５３５の往復運動の移動方向の延長線Ａ上に設けられるとともに遊技板３００（図４参照）に対して固定され、前記ハート型可動部５３５の透明性を有する部分である光拡散部材８０２の下側に光Ｌを照射する。
【００８５】
光拡散部材８０２の下側で複数の傾斜面８２１、８２２（図１０参照）により拡散し透過した光は光拡散部材８０２の後面の複数のＶ字溝８２３で更に拡散し、光拡散部材８０２の前面から出射し、外装部材８０１の板上部８１１や傾斜部８１２を透過し、ガラス扉１５（図１参照）を介して遊技者に視認される。
【００８６】
また、図５に示したハート型可動部５３１、５３２、５３３、５３４、５３６、５３７、５３８、５３９及び発光ダイオード５４１、５４２、５４３、５４４、５４６、５４７、５４８、５４９及び凸レンズ面５５１、５５２、５５３、５５４、５５６、５５７、５５８、５５９についても、図１４に示したハート型可動部５３５、発光ダイオード５４５及び凸レンズ面５５５と同様の構造になっている。
【００８７】
以上に説明した構造を纏めて説明すると、遊技機１は、板状に形成された遊技板３００の前面側に遊技球が落下する遊技領域１０３を有する遊技盤１０１を備える。
【００８８】
演出役物１１５は、遊技機１の演出装置になっている。
【００８９】
ハート型可動部５３１、５３２、５３３、５３４、５３５、５３６、５３７、５３８、５３９は、前記遊技板３００の前面に当該遊技板３００に対して所定の方向に移動可能な状態で設けられ、少なくとも外周部に透明性を有する部分が形成された可動部となっている。
【００９０】
左右の駆動機構５０９、５１０と、複数の円柱５１１、５１２、５１３、５１４、５１５、５１６、５１７、５１８、５１９と、可動支持部５２１、５２２、５２３、５２４、５２５、５２６、５２７、５２８、５２９は、ハート型可動部５３１、５３２、５３３、５３４、５３５、５３６、５３７、５３８、５３９に対して所定の方向に向けて往復運動を行わせる駆動手段になっている。
【００９１】
発光ダイオード５４１、５４２、５４３、５４４、５４５、５４６、５４７、５４８、５４９及び凸レンズ面５５１、５５２、５５３、５５４、５５５、５５６、５５７、５５８、５５９は、それぞれ前記ハート型可動部５３１、５３２、５３３、５３４、５３５、５３６、５３７、５３８、５３９の往復運動の移動方向の延長線上またはその近傍に設けられるとともに前記遊技板３００に対して固定され、それぞれ前記ハート型可動部５３１、５３２、５３３、５３４、５３５、５３６、５３７、５３８、５３９の透明性を有する部分に光を照射する光源になっている。
【００９２】
光拡散部材８０２の下側は、前記ハート型可動部５３５の前記光源側の面に設けられ、前記光源から照射される光を拡散して前記ハート型可動部５３５の透明性を有する部分に透過させる光拡散部になっている。
【００９３】
光拡散部材８０２の概形は、先端部を前記光源側に向けた山形に形成されている。
【００９４】
前記ハート型可動部５３５における光拡散部材８０２の下側の前方の部分には、当該光拡散部材８０２の下側を手前側から隠す鍔部８１５が形成されている。
【００９５】
図１乃至図１４に示した本実施形態によれば、ハート型可動部５３１、５３２、５３３、５３４、５３５、５３６、５３７、５３８、５３９の往復運動の移動方向の延長線上またはその近傍に設けられるとともに前記遊技板３００に対して固定された光源からの光によってハート型可動部５３１、５３２、５３３、５３４、５３５、５３６、５３７、５３８、５３９の透明性を有する部分が光るので、透明性を有する部材からなる可動式役物を照明する場合の意匠効果を高めるとともに透明性を有する部材のデザイン上の自由度を高め耐久性を向上することができる。
尚、前記延長線上の近傍として表現した発光ダイオード５４１、５４２、５４３、５４４、５４５、５４６、５４７、５４８、５４９及び凸レンズ面５５１、５５２、５５３、５５４、５５５、５５６、５５７、５５８、５５９による光源が設けられる位置としては、前記ハート型可動部５３１、５３２、５３３、５３４、５３５、５３６、５３７、５３８、５３９の往復運動の全域において前記光源からの光が当該可動部の透明性を有する部分に照射可能な位置ならば各種適用可能である。
前記光源は、前記遊技板３００に直接固定されるようにしてもよいし、光源が前記演出役物１１５の電気基板としてのランプ基板５０７、５０８、本体ケース５０１及び枠部材２１を介して前記遊技板３００に固定されるようにしてもよい。
【符号の説明】
【００９６】
１……遊技機、２……中央役物、１５……ガラス扉、
１０１……遊技盤、１１５……演出役物、３００……遊技板、
５０９、５１０……駆動機構、
５１１、５１２、５１３、５１４……円柱、
５１５、５１６、５１７、５１８、５１９……円柱、
５２１、５２２、５２３、５２４……可動支持部、
５２５、５２６、５２７、５２８、５２９……可動支持部、
５３１、５３２、５３３、５３４……ハート型可動部、
５３５、５３６、５３７、５３８、５３９……ハート型可動部、
５３１、５３２、５３３、５３４……ハート型可動部、
５３５、５３６、５３７、５３８、５３９……ハート型可動部、
５４１、５４２、５４３、５４４……発光ダイオード、
５４５、５４６、５４７、５４８、５４９……発光ダイオード、
５５１、５５２、５５３、５５４……凸レンズ面、
５５５、５５６、５５７、５５８、５５９……凸レンズ面、
８１５……鍔部、８２０……開放部
【図１】
2010167128.tif 000003
【図２】
2010167128.tif 000004
【図３】
2010167128.tif 000005
【図４】
2010167128.tif 000006
【図５】
2010167128.tif 000007
【図６】
2010167128.tif 000008
【図７】
2010167128.tif 000009
【図８】
2010167128.tif 000010
【図９】
2010167128.tif 000011
【図１０】
2010167128.tif 000012
【図１１】
2010167128.tif 000013
【図１２】
2010167128.tif 000014
【図１３】
2010167128.tif 000015
【図１４】
2010167128.tif 000016